(57)【要約】【課題】上りリンクのデータチャネルに複数の周波数バンドを割り当てた場合の上りリンク割当て情報のシグナリングに最適な上りリンク割当て情報構成を実現すること。【解決手段】上りリンクで１ユーザに複数の周波数バンドを割り当てる無線通信システムにおいて、ビットマップ形式でリソース割当てした上りリンクのリソース割当て情報を含む上りリンク割当て情報を定義し、当該上りリンク割り当て情報を、ビットマップベースでリソース割当てした下りリンクのリソース割当て情報が含まれた下りリンク割当て情報（例えばDCI  Format  1）と同一ビットサイズで構成し、下りリンク割当て情報（DCI  Format  1）の一部のビットの解釈を変更して、同一ビットサイズの上りリンク割当て情報を識別できるようにした。【選択図】図３
2011223111.tif 000002
【特許請求の範囲】
【請求項１】
下りリンクのデータチャネル復調用の制御情報で構成された下りリンク割当て情報を生成する下り制御情報生成部と、
上りリンクのデータチャネル復調用の制御情報で構成された上りリンク割当て情報を生成する上り制御情報生成部と、
前記上りリンク割当て情報と前記下りリンク割当て情報とを制御チャネルに多重する制御チャネル多重部と、
前記制御チャネルに多重された前記上りリンク割当て情報及び前記下りリンク割当て情報を無線送信する送信部と、を具備し、
前記下り制御情報生成部は、
下りリンクのデータチャネルに割り当てられた無線リソースに関するリソース割当て情報を、ビットマップ形式で前記下りリンク割当て情報に配置し、
リソース割当ての最小単位であるリソースブロックを複数ブロックで束ねたリソースブロックグループが定義され、システム帯域全体から所定数のリソースブロックグループが所定パターンで間引かれて構成されているリソースブロック配置パターンに、前記リソース割当て情報をビットマップ形式で割り当て、
前記リソース割当て情報の割り当てに用いているリソースブロック配置パターンを特定する配置パターン識別ビットを前記下りリンク割当て情報の所定位置に配置し、
前記上り制御情報生成部は、
前記上りリンク割当て情報を前記下りリンク割当て情報と同一ビットサイズで構成し、
上りリンクのデータチャネルに割り当てられた複数の周波数バンドに関するリソース割当て情報を、ビットマップ形式で前記上りリンク割当て情報に配置し、
前記リソースブロック配置パターンを特定する配置パターン識別ビットの１つを前記上りリンク割当て情報を示す識別ビットとして用いて前記上りリンク割当て情報に含める、ことを特徴とする無線通信制御装置。
【請求項２】
前記上り制御情報生成部は、上りリンクの無線アクセス方式としてクラスタ化DFT拡散OFDMが適用され、前記複数の周波数バンドとして１ユーザに複数のクラスタが割り当てられた場合、前記各クラスタに対するリソース割当て情報を、ビットマップ形式で前記上りリンク割当て情報に配置することを特徴とする請求項１記載の無線通信制御装置。
【請求項３】
前記上り制御情報生成部は、上りリンクの無線アクセス方式としてSC-FDMAが適用され、上りリンクにシングルキャリアが割り当てられた場合、前記シングルキャリアの開始リソースブロックとシングルキャリアの長さとをリソース割当て情報として前記上りリンク割当て情報の所定位置に配置することを特徴とする請求項２記載の無線通信制御装置。
【請求項４】
下りリンクのデータチャネル復調用の制御情報で構成された下りリンク割当て情報を生成する下り制御情報生成部と、
上りリンクのデータチャネル復調用の制御情報で構成された上りリンク割当て情報を生成する上り制御情報生成部と、
前記上りリンク割当て情報と前記下りリンク割当て情報とを制御チャネルに多重する制御チャネル多重部と、
前記制御チャネルに多重された前記上りリンク割当て情報及び前記下りリンク割当て情報を無線送信する送信部と、を具備し、
前記上り制御情報生成部は、
上りリンクのデータチャネルにシングルキャリアが割り当てられた場合、前記シングルキャリアの開始リソースブロックとシングルキャリアの長さとでリソース割当て情報が構成される第１の上りリンク割当て情報を生成し、
上りリンクのデータチャネルに複数の周波数バンドが割り当てられた場合、前記各周波数バンドに割り当てられた無線リソースに関するリソース割当て情報がビットマップ形式で割り当てられた第２の上りリンク割当て情報を生成し、
リソース割当ての最小単位であるリソースブロックを複数ブロックで束ねたリソースブロックグループが定義され、複数のリソースブロック配置パターンによってシステム帯域全体がカバーされるように、前記各リソースブロック配置パターンがシステム帯域から所定数のリソースブロックグループが所定パターンで間引かれて構成され、前記第２の上りリンク割当て情報において前記リソースブロック配置パターンのいずれかを用いて前記リソース割当て情報がビットマップ形式で割り当てられ、
前記リソースブロック配置パターンは、前記第２の上りリンク割当て情報が、前記第１の上りリンク割当て情報と同一ビットサイズとなるように、１リソースブロックグループ当たりのリソースブロック数と１リソースブロック配置パターン当たりのリソースブロックグループ数が設定されている、ことを特徴とする無線通信制御装置。
【請求項５】
前記上り制御情報生成部は、１０MHzよりも小さいシステム帯域において上りリンクのデータチャネルに複数の周波数バンドが割り当てられた場合、システム帯域全体をリソースブロックグループ単位で区切り、前記各周波数バンドのリソース割当て情報をリソースブロックグループ単位のビットマップ形式で割り当て、１０MHzよりも大きいシステム帯域において上りリンクのデータチャネルに複数の周波数バンドが割り当てられた場合、前記リソースブロック配置パターンを用いて前記各周波数バンドのリソース割当て情報をビットマップ形式で割り当てることを特徴とする請求項４記載の無線通信制御装置。
【請求項６】
下りリンクのデータチャネル復調用の制御情報で構成された下りリンク割当て情報を生成する下り制御情報生成部と、
上りリンクのデータチャネル復調用の制御情報で構成された上りリンク割当て情報を生成する上り制御情報生成部と、
前記上りリンク割当て情報と前記下りリンク割当て情報とを制御チャネルに多重する制御チャネル多重部と、
前記制御チャネルに多重された前記上りリンク割当て情報及び前記下りリンク割当て情報を無線送信する送信部と、を具備し、
前記下り制御情報生成部は、
下りリンクのデータチャネルに割り当てられた無線リソースに関するリソース割当て情報を、ビットマップ形式で前記下りリンク割当て情報に配置し、
下りリンクであることを示すリンク識別ビットを前記下りリンク割当て情報の所定位置に配置し、
前記上り制御情報生成部は、
前記上りリンク割当て情報を前記下りリンク割当て情報と同一ビットサイズで構成し、
上りリンクのデータチャネルに割り当てられた複数の周波数バンドに関するリソース割当て情報を、ビットマップ形式で前記上りリンク割当て情報に配置し、
上りリンクであることを示すリンク識別ビットを前記上りリンク割当て情報の所定位置に配置した、ことを特徴とする無線通信制御装置。
【請求項７】
下りリンクのデータチャネル復調用の制御情報で構成された下りリンク割当て情報と上りリンクのデータチャネル復調用の制御情報で構成された上りリンク割当て情報とが多重された制御チャネルを受信する受信部と、
前記受信制御チャネルに多重されている下りリンク割当て情報を復調する下りデータチャネル用制御情報復調部と、
前記受信制御チャネルに多重されている上りリンク割当て情報を復調する上りデータチャネル用制御情報復調部と、
前記上りデータチャネル用制御情報復調部で復調された上りリンク割当て情報を用いて、上りリンクのデータチャネルに割り当てられた無線リソースに送信信号をマッピングするマッピング部と、を具備し、
前記上りデータチャネル用制御情報復調部は、
前記受信制御チャネルをブラインドデコーディングして同一ビットサイズで構成される下りリンク割当て情報又は上りリンク割当て情報からなる制御情報を復調し、
前記上りリンク割当て情報は、上りリンクのデータチャネルに割り当てられた複数の周波数バンドに関するリソース割当て情報がビットマップ形式で配置され、前記リソース割当て情報は、リソース割当ての最小単位であるリソースブロックを複数ブロックで束ねたリソースブロックグループが定義され、システム帯域全体から所定数のリソースブロックグループが所定パターンで間引かれて構成されているリソースブロック配置パターンにビットマップ形式で割り当てられ、前記上りリンク割当て情報は、前記リソースブロック配置パターンを特定する配置パターン識別ビットの１つが前記上りリンク割当て情報を示す識別ビットとして配置されており、
復調された制御情報に配置された配置パターン識別ビットが上りリンク割当て情報であることを示していれば、当該制御情報を上りリンク割当て情報としてビット解釈してビットマップ形式のリソース割当て情報を取り出して前記マッピング部へ与える、ことを特徴とする無線通信制御装置。
【請求項８】
下りリンクのデータチャネル復調用の制御情報で構成された下りリンク割当て情報と上りリンクのデータチャネル復調用の制御情報で構成された上りリンク割当て情報とが多重された制御チャネルを受信する受信部と、
前記受信制御チャネルに多重されている下りリンク割当て情報を復調する下りデータチャネル用制御情報復調部と、
前記受信制御チャネルに多重されている上りリンク割当て情報を復調する上りデータチャネル用制御情報復調部と、
前記上りデータチャネル用制御情報復調部で復調された上りリンク割当て情報を用いて、上りリンクのデータチャネルに割り当てられた無線リソースに送信信号をマッピングするマッピング部と、を具備し、
前記上りデータチャネル用制御情報復調部は、
前記受信制御チャネルをブラインドデコーディングして、同一ビットサイズで構成される第１の上りリンク割当て情報又は第２の上りリンク割当て情報からなる制御情報を復調し、
前記第１の上りリンク割当て情報は、上りリンクのデータチャネルにシングルキャリアが割り当てられた場合に送られ、前記シングルキャリアの開始リソースブロックとシングルキャリアの長さとで構成されるリソース割当て情報を含み、
前記第２の上りリンク割当て情報は、上りリンクのデータチャネルに複数の周波数バンドが割り当てられた場合に送られ、前記各周波数バンドに割り当てられた無線リソースがビットマップ形式で表わされたリソース割当て情報を含み、
リソース割当ての最小単位であるリソースブロックを複数ブロックで束ねたリソースブロックグループが定義され、複数のリソースブロック配置パターンによってシステム帯域全体がカバーされるように、前記各リソースブロック配置パターンがシステム帯域から所定数のリソースブロックグループが所定パターンで間引かれて構成され、前記第２の上りリンク割当て情報において前記リソースブロック配置パターンのいずれかを用いて前記リソース割当て情報がビットマップ形式で割り当てられており、
前記リソースブロック配置パターンは、前記第２の上りリンク割当て情報が、前記第１の上りリンク割当て情報と同一ビットサイズとなるように、１リソースブロックグループ当たりのリソースブロック数と１リソースブロック配置パターン当たりのリソースブロックグループ数が設定されている、ことを特徴とする無線通信制御装置。
【請求項９】
下りリンクのデータチャネル復調用の制御情報で構成された下りリンク割当て情報と上りリンクのデータチャネル復調用の制御情報で構成された上りリンク割当て情報とが多重された制御チャネルを受信する受信部と、
前記受信制御チャネルに多重されている下りリンク割当て情報を復調する下りデータチャネル用制御情報復調部と、
前記受信制御チャネルに多重されている上りリンク割当て情報を復調する上りデータチャネル用制御情報復調部と、
前記上りデータチャネル用制御情報復調部で復調された上りリンク割当て情報を用いて、上りリンクのデータチャネルに割り当てられた無線リソースに送信信号をマッピングするマッピング部と、を具備し、
前記上りデータチャネル用制御情報復調部は、
前記受信制御チャネルをブラインドデコーディングして同一ビットサイズで構成される下りリンク割当て情報又は上りリンク割当て情報からなる制御情報を復調し、
前記上りリンク割当て情報は、上りリンクのデータチャネルに割り当てられた複数の周波数バンドに関するリソース割当て情報がビットマップ形式で配置され、上りリンクであることを示すリンク識別ビットが所定位置に配置されており、
復調された制御情報に配置されたリンク識別ビットが上りリンクであることを示していれば、当該制御情報を上りリンク割当て情報としてビット解釈してビットマップ形式のリソース割当て情報を取り出して前記マッピング部へ与える、ことを特徴とする無線通信制御装置。
【請求項１０】
下りリンクのデータチャネル復調用の制御情報で構成された下りリンク割当て情報を生成するステップと、
上りリンクのデータチャネル復調用の制御情報で構成された上りリンク割当て情報を生成するステップと、
前記上りリンク割当て情報と前記下りリンク割当て情報とを制御チャネルに多重するステップと、
前記制御チャネルに多重された前記上りリンク割当て情報及び前記下りリンク割当て情報を無線送信するステップと、を具備し、
前記下りリンク割当て情報を生成するステップでは、
下りリンクのデータチャネルに割り当てられた無線リソースに関するリソース割当て情報を、ビットマップ形式で前記下りリンク割当て情報に配置し、
リソース割当ての最小単位であるリソースブロックを複数ブロックで束ねたリソースブロックグループが定義され、システム帯域全体から所定数のリソースブロックグループが所定パターンで間引かれて構成されているリソースブロック配置パターンに、前記リソース割当て情報をビットマップ形式で割り当て、
前記リソース割当て情報の割り当てに用いているリソースブロック配置パターンを特定する配置パターン識別ビットを前記下りリンク割当て情報の所定位置に配置し、
前記上りリンク割当て情報を生成するステップでは、
前記上りリンク割当て情報を前記下りリンク割当て情報と同一ビットサイズで構成し、
上りリンクのデータチャネルに割り当てられた複数の周波数バンドに関するリソース割当て情報を、ビットマップ形式で前記上りリンク割当て情報に配置し、
前記リソースブロック配置パターンを特定する配置パターン識別ビットの１つを前記上りリンク割当て情報を示す識別ビットとして用いて前記上りリンク割当て情報に含める、ことを特徴とする無線通信制御方法。
【請求項１１】
下りリンクのデータチャネル復調用の制御情報で構成された下りリンク割当て情報を生成するステップと、
上りリンクのデータチャネル復調用の制御情報で構成された上りリンク割当て情報を生成するステップと、
前記上りリンク割当て情報と前記下りリンク割当て情報とを制御チャネルに多重するステップと、
前記制御チャネルに多重された前記上りリンク割当て情報及び前記下りリンク割当て情報を無線送信するステップと、を具備し、
前記上りリンク割当て情報を生成するステップでは、
上りリンクのデータチャネルにシングルキャリアが割り当てられた場合、前記シングルキャリアの開始リソースブロックとシングルキャリアの長さとでリソース割当て情報が構成される第１の上りリンク割当て情報を生成し、
上りリンクのデータチャネルに複数の周波数バンドが割り当てられた場合、前記各周波数バンドに割り当てられた無線リソースに関するリソース割当て情報がビットマップ形式で割り当てられた第２の上りリンク割当て情報を生成し、
リソース割当ての最小単位であるリソースブロックを複数ブロックで束ねたリソースブロックグループが定義され、複数のリソースブロック配置パターンによってシステム帯域全体がカバーされるように、前記各リソースブロック配置パターンがシステム帯域から所定数のリソースブロックグループが所定パターンで間引かれて構成され、前記第２の上りリンク割当て情報において前記リソースブロック配置パターンのいずれかを用いて前記リソース割当て情報がビットマップ形式で割り当てられ、
前記リソースブロック配置パターンは、前記第２の上りリンク割当て情報が、前記第１の上りリンク割当て情報と同一ビットサイズとなるように、１リソースブロックグループ当たりのリソースブロック数と１リソースブロック配置パターン当たりのリソースブロックグループ数が設定されている、ことを特徴とする無線通信制御方法。
【請求項１２】
下りリンクのデータチャネル復調用の制御情報で構成された下りリンク割当て情報を生成するステップと、
上りリンクのデータチャネル復調用の制御情報で構成された上りリンク割当て情報を生成するステップと、
前記上りリンク割当て情報と前記下りリンク割当て情報とを制御チャネルに多重するステップと、
前記制御チャネルに多重された前記上りリンク割当て情報及び前記下りリンク割当て情報を無線送信するステップと、を具備し、
前記下りリンク割当て情報を生成するステップでは、
下りリンクのデータチャネルに割り当てられた無線リソースに関するリソース割当て情報を、ビットマップ形式で前記下りリンク割当て情報に配置し、
下りリンクであることを示すリンク識別ビットを前記下りリンク割当て情報の所定位置に配置し、
前記上りリンク割当て情報を生成するステップでは、
前記上りリンク割当て情報を前記下りリンク割当て情報と同一ビットサイズで構成し、
上りリンクのデータチャネルに割り当てられた複数の周波数バンドに関するリソース割当て情報を、ビットマップ形式で前記上りリンク割当て情報に配置し、
上りリンクであることを示すリンク識別ビットを前記上りリンク割当て情報の所定位置に配置した、ことを特徴とする無線通信制御方法。
【発明の詳細な説明】
【技術分野】
【０００１】
本発明は、上りリンクのデータチャネルに割当てた無線リソースをビットマップ形式でシグナリングする無線通信制御装置及び無線通信制御方法に関する。
【背景技術】
【０００２】
W-CDMA（Wideband  Code  Division  Multiple  Access）やHSDPA(High  Speed  Downlink  Packet  Access)の後継となる通信方式、すなわちロングタームエボリューション（LTE：Long  Term  Evolution）が、W-CDMAの標準化団体３GPPにより定められ、無線アクセス方式として、下りリンクについてはOFDMA（Orthogonal  Frequency  Division  Multiple  Access）、上りリンクについてはSC-FDMA（Single-Carrier  Frequency  Division  Multiple  Access）が採用された。現在、３GPPではLTEの後継システムが検討されている（Release  10又はRelease  10以降のバージョンを含めてLTEアドバンストと呼ばれている）。以下、LTEアドバンストのことをLTE-Ａと省略して記述する。
【０００３】
LTEシステムは、上りリンク、下りリンクともに１つないし２つ以上の物理チャネルを複数の移動局ＵＥで共有して通信を行うシステムである。複数の移動局ＵＥで共有されるチャネルは、一般に共有チャネルと呼ばれ、LTEにおいては、上りリンクにおけるPUSCH（physical  uplink  shared  channel）であり、下りリンクにおけるPDSCH（Physical  Downlink  Shared  Channel）である。
【０００４】
LTEシステムのように、共有チャネルを用いた通信システムでは、送信時間間隔（TTI）（LTEではサブフレーム（Subframe））毎に、どの移動局UEに対して上記共有チャネルを割り当てるかをシグナリングする必要がある。
【０００５】
LTEでは、上記シグナリングのために用いられる下りリンク制御チャネルとして、PDCCH（Physical  Downlink  Control  Channel）が定められている。PDCCHで送信される下りリンク制御情報には、Downlink  Scheduling  Information、UL  Scheduling  Grant、Overload  Indicator、Transmission  Power  Control  Command  Bitが含まれる。また、Downlink  Scheduling  Informationには、例えば、下りリンク無線アクセスのための無線リソースであるリソースブロック（Resource  Block）の割り当て情報、移動局ＵＥのＩＤ、ストリームの数、プリコーディングベクトル（Precoding  Vector）に関する情報、データサイズ、変調方式、HARQ（Hybrid  Automatic  Repeat  Request）に関する情報が含まれる。また、上記Uplink  Scheduling  Grantには、例えば、上りリンク無線アクセスのための無線リソースであるリソースブロックの割り当て情報、移動局ＵＥのＩＤ、データサイズ、変調方式、上りリンクの送信電力情報、Demodulation  Reference  Signalの情報が含まれる。
【０００６】
LTEでは、無線アクセス方式にOFDMAが適用される下りリンクにおいて、周波数スケジューリング効果を得る目的で、リソースブロックをシステム帯域内で非連続に割り当てることを許容している。このため、移動局ＵＥに対して非連続に割り当てられた各リソースブロックを通知するためにビットマップ形式が採用されている。一方、無線アクセス方式にSC-FDMAが適用される上りリンクでは、シングルキャリア（連続した複数サブキャリアを用いた伝送）を実現するために、リソースブロックをシステム帯域内で連続的に割り当てることのみを許容している。このため、シグナリングのオーバーヘッドを低減する目的で、シングルキャリアの開始リソースブロックとリソースブロック長とをセットにして通知する形式が採用されている。
【先行技術文献】
【非特許文献】
【０００７】
【非特許文献１】3GPP  TR  36.211  (V0.2.1),  “Physical  Channels  and  Modulation,”November  2006
【発明の概要】
【発明が解決しようとする課題】
【０００８】
ところで、現在、３ＧＰＰにおいて検討が進められているRelease  10では、上りリンク無線アクセス方式にクラスタ化DFT拡散OFDM（Clustered  DFT-Spread  OFDM）の採用が合意されている。クラスタ化DFT拡散OFDMでは、１つの移動局ＵＥに対して複数のクラスタが割り当てられる。
【０００９】
ところが、複数のクラスタのそれぞれについて、シングルキャリアと同様にして、開始リソースブロックとリソースブロック長とを通知するシグナリング方法を採用すると、LTEにおいて上りリンク割当て情報の通知用に規定されているDCIフォーマット（DCI  Format  0)ではビット数が制限される問題がある。
【００１０】
本発明は、かかる点に鑑みてなされたものであり、上りリンクのデータチャネルに複数の周波数バンドを割り当てた場合の上りリンク割当て情報のシグナリングに最適な上りリンク割当て情報構成を実現する無線通信制御装置及び無線通信制御方法を提供することを目的とする。
【課題を解決するための手段】
【００１１】
本発明の無線通信制御装置は、下りリンクのデータチャネル復調用の制御情報で構成された下りリンク割当て情報を生成する下り制御情報生成部と、上りリンクのデータチャネル復調用の制御情報で構成された上りリンク割当て情報を生成する上り制御情報生成部と、前記上りリンク割当て情報と前記下りリンク割当て情報とを制御チャネルに多重する制御チャネル多重部と、前記制御チャネルに多重された前記上りリンク割当て情報及び前記下りリンク割当て情報を無線送信する送信部とを具備し、前記下り制御情報生成部は、下りリンクのデータチャネルに割り当てられた無線リソースに関するリソース割当て情報を、ビットマップ形式で前記下りリンク割当て情報に配置し、リソース割当ての最小単位であるリソースブロックを複数ブロックで束ねたリソースブロックグループが定義され、システム帯域全体から所定数のリソースブロックグループが所定パターンで間引かれて構成されているリソースブロック配置パターンに、前記リソース割当て情報をビットマップ形式で割り当て、前記リソース割当て情報の割り当てに用いているリソースブロック配置パターンを特定する配置パターン識別ビットを前記下りリンク割当て情報の所定位置に配置し、前記上り制御情報生成部は、前記上りリンク割当て情報を前記下りリンク割当て情報と同一ビットサイズで構成し、上りリンクのデータチャネルに割り当てられた複数の周波数バンドに関するリソース割当て情報を、ビットマップ形式で前記上りリンク割当て情報に配置し、前記リソースブロック配置パターンを特定する配置パターン識別ビットの１つを前記上りリンク割当て情報を示す識別ビットとして用いて前記上りリンク割当て情報に含める、ことを特徴とする。
【００１２】
この構成によれば、下りリンク割当て情報の復調においてリソースブロック配置パターンを特定するのに用いる配置パターン識別ビットの１つを上りリンク割当て情報を示す識別ビットとして用いるので、下りリンク割当て情報と上りリンク割当て情報とを同一ビットサイズで構成しても、上りリンク割当て情報を識別できる。
【発明の効果】
【００１３】
本発明によれば、上りリンクのデータチャネルに複数の周波数バンドを割り当てた場合の上りリンク割当て情報のシグナリングに最適な上りリンク割当て情報構成を実現することができる。
【図面の簡単な説明】
【００１４】
【図１】上りリンクの異なるコンポーネントキャリアに適用したクラスタ化DFT拡散OFDM及びSC-FDMAを適用した場合の概念図
【図２】ビットマップ形式で割当てた下りリンクのリソース割当て情報に関するRB配置パターンを示す図
【図３】（ａ）DCI  Format  1Aのビット構成図、（ｂ）第１の発明によるDCI  Format  0Aの構成図、（ｃ）第２の発明によるDCI  Format  0Aの構成図
【図４】システム帯域が１０MHzより小さい場合のシグナリングに好適なビットマップパターンを示す図
【図５】システム帯域が１０MHzより大きい場合のシグナリングに好適なRB配置パターンを示す図
【図６】既存の下りリンク割当て情報（DCI  Format  1）と新たに識別ビットを１ビット追加したDCI  Format  1´及びDCI  Format  0A´を対比した図
【図７】本実施例に係る移動通信システムの構成図
【図８】本実施の形態に係る基地局装置の全体構成図
【図９】本実施の形態に係る移動端末装置の全体構成図
【図１０】本実施の形態に係る基地局装置が有するベースバンド信号処理部及び一部の上位レイヤの機能ブロック図
【図１１】本実施の形態に係る移動端末装置が有するベースバンド信号処理部の機能ブロック図
【図１２】上りンクの無線アクセス方式としてクラスタ化DFT拡散OFDMとOFDMとを切り替え可能にした移動端末装置の構成図
【発明を実施するための形態】
【００１５】
本発明の一つの側面（第１の発明）では、ユーザ毎に上りリンクのデータチャネルに複数の周波数バンドを割り当てる無線通信システム（例えば、Release  10で合意されたクラスタ化DFT拡散OFDMが適用される場合）において、ビットマップ形式でリソース割当てを指示するリソース割当て情報が配置された上りリンク割当て情報を定義し、当該上りリンク割り当て情報を、ビットマップ形式でリソース割当てを指示するリソース割当て情報が配置された下りリンク割当て情報（例えばDCI  Format  1）と同一ビットサイズで構成し、下りリンク割当て情報（DCI  Format  1）の一部のビットの解釈を変更して、同一ビットサイズの上りリンク割当て情報を識別できるようにした。以下の説明では、LTEで規定されている既存の上りリンク割り当て情報（例えば、DCI  Format  0）と区別するため、本発明で提案する新規な上りリンク割当て情報のDCIフォーマットをDCI  Format  0A（又は0A´）と表記する。
【００１６】
これにより、既存の下りリンク割当て情報（DCI  Format  1）の一部のビットの解釈を変更して、DCI  Format  1とDCI  Format  0Aとを区別できるようにしたので、クラスタ化DFT拡散OFDMが適用された上りリンクのリソース割当て情報をビットマップ形式でシグナリングできると共に、移動局ＵＥにおいて上りリンク割当て情報（DCI  Format  0A）と下りリンク割当て情報（DCI  Format  1）を１回のブラインドデコーディングで復調できる。
【００１７】
図１は、一方のコンポーネントキャリアの上りリンク無線アクセスにクラスタ化DFT拡散OFDMを適用し、他方のコンポーネントキャリアの上りリンク無線アクセスにSC-FDMAを適用した場合の概念図である。
【００１８】
上りリンクの無線アクセスにSC-FDMAが適用される場合、コンポーネントキャリアCC1の両端を使用してPUCCH（physical  uplink  Control  channel）が伝送され、コンポーネントキャリアCC1の中央部の所定帯域にシングルキャリアが割り当てられ、当該シングルキャリアを使用してPUSCHが伝送される。
【００１９】
上りリンクの無線アクセスにクラスタ化DFT拡散OFDMが適用される場合、コンポーネントキャリアCC0の両端を使用してPUCCHが伝送されるのは上りリンクSC-FDMAと同じであるが、クラスタ化DFT拡散OFDMではシングルキャリアを複数（例えば３つ）のクラスタに分けて、PUSCHを複数のクラスタで並列に伝送する。複数のクラスタのリソース割当て情報はPDCCHを用いてシグナリングされる。
【００２０】
LTEにおいて、下りリンクのリソース割当て情報としてDCI  Format  1が定義されており、上りリンクのリソース割当て情報としてDCI  Format  0が定義されている。本発明者は、DCI  Format  1の一部のビットの解釈をどのように変更すれば、DCI  Format  0Aを復調する際のブラインドデコーディング数の増加を防止できるかについて検討した結果、下りリンクの割当て情報（DCI  Format  1）と同一ビット数で、かつ下りリンクの割当て情報（DCI  Format  1）の一部のビットの解釈を変更して新たなDCI  Format  0Aを識別することが有効であることを見出した。
【００２１】
LTEでは、下りリンクまたは上りリンクで割り当て可能な最小量のリソースを、リソースブロック（RB：Resource  Block）と呼んでいる。１RBは180kHz幅で12個のサブキャリアから構成される。たとえば、２０MHzのシステム帯域は１００RBで構成されるため、単純にビットマップ形式でリソース割当て情報をシグナリングすると、シグナリングに１００ビットが必要になる。LTEは、ビット数を低減するため、RBをグループ化（RBグループと呼ばれる）し、RBG(Resource  Block  Group)単位でリソース割当てを通知する方式が採用されている。
【００２２】
図２には、ビットマップ形式で割当てた下りリンクのリソース割当て情報に関するRB配置パターンが示されている。LTEでは下りリンクのRB配置パターンとしてタイプ０とタイプ１とを規定している。
【００２３】
図２（ａ）にタイプ０のRB配置パターンが示されている。タイプ０は、システム帯域全体をRBG単位で区分けし、RBG単位をRB割当ての最小単位とする。同図には１RBGを３つのRBで構成し、システム帯域全体を０番から１６番のRBGで構成した例が示されている。１番、３番、４番、８番、１１番、１２番、１５番のRBGにリソースが割り当てられている。このように、タイプ０はRBG単位のリソース割り当てを通知することができるが、RB単位のリソース割り当てまでは通知できない。
【００２４】
図２（ｂ）（ｃ）にタイプ１のRB配置パターンが示されている。タイプ１は、リソース割当てをRB単位で指定するが、１つのRB配置パターンではシステム帯域の一部だけをカバーしており、カバー範囲が相違する複数のRB配置パターンによってシステム帯域全体をカバーする。個々のRB配置パターンはサブセット番号で特定される。
【００２５】
また、タイプ０／１、サブセット番号、後述する左詰め／右詰め、を識別するためのビットが必要になるため、割り当て可能なRBGが不足する。この不足したビット数だけ、
RB配置パターンを左詰め（RBG番号の小さい側から詰める）、又は右詰め（RBG番号の大きい側から詰める）してリソースを割り当てる。
【００２６】
具体的には、同図に示すサブセット０は、０番、３番、６番、９番、１２番、１５番の各RBGに対応したリソースを、RB単位で指定することができる。サブセット１は、サブセット０のリソースパターンから１RBGシフトしたRBG番号（１番、４番、７番、１０番、１３番、１６番）に対応するリソースを、RB単位で指定することができる。サブセット２は、さらに１RBGシフトしたRBG番号（２番、５番、８番、１１番、１４番）に対応するリソースを、RB単位で指定することができる。タイプ１は、左詰めでリソースブロックを割り当てるパターン“without  shift”（図２（ｂ））と、右詰めでリソースブロックを割り当てるパターン“with  shift”（図２（ｃ））とが用意されている。したがって、タイプ１はサブセット番号と左詰め（woshift）又は右詰め（wshift）との組み合わせで特定される。
【００２７】
図２（ｄ）はタイプ１のRB配置パターンの具体例である。サブセット０で、かつ左詰め（woshift）のパターンが示されている。かかるRB配置パターンにおいて、RB６，７，１０，１１が割り当てられている。
【００２８】
本発明は、図２（ｂ）に示す６つのRB配置パターンのいずれか１つのパターンを、DCI  Format  １とDCI  Format  0Aとを区別するフラグとして利用することとした。たとえば、タイプ１、サブセット２、左詰め（Type1,Subset2(woshift)）のRB配置パターンを、DCI  Format  0Aを表すフラグとして利用することができる。図２（ｂ）に示すように、Type1,Subset2(woshift)で指定されるRB配置パターンはType1,Subset2(wshift)で指定されるRB配置パターンと重複しているので、いずれか一方のRB配置パターンをシグナリングできれば、全てのリソースブロックをシグナリングできる。
【００２９】
図３（ａ）（ｂ）にLTEで規定されている下りリンク用のDCIフォーマット（下りリンク割当て情報）であるDCI  Format  1と、本発明に関連する新規の上りリンク用のDCIフォーマット（上りリンク割当て情報）であるDCI  Format  0Aとを対比して示す。
【００３０】
図３（ａ）はDCI  Format  1の構成が示されており、特に下りリンク用のコンパクト割当て用DCIフォーマットであるDCI  Format  1Aのビット構成が示されている。DCI  Format  1は、タイプ０／タイプ１を示すヘッダ（第０ビット）、ユーザに割当てたRB位置を示すRB割当て情報（第１から第１７ビット）、割り当てたRBのＭＣＳ情報(Modulation  and  Coding  Scheme)（第１８から第２２ビット）、ハイブリッドARQを用いる際に必要な情報であるHARQプロセス番号（第２３から第２５ビット）、新規データか再送データかを区別する識別子（New  data  indicator）（第２６ビット）、符号化系列のどの部分を送っているかを示す情報（Redundancy  version）（第２７から第２８ビット）、PUCCHの送信電力制御コマンド（TPC）（第２９から第３０ビット）から構成されている。
【００３１】
図３（ｂ）は本発明に関連する新規のDCI  Format  0Aの構成を示している。DCI  Format  0Aは、図３（ａ）に示すDCI  Format  1と同一のビットサイズで構成されている。DCI  Format  0Aは、先頭４ビット（第０から第３ビット）がDCI  Format  0Aを表すフラグとして利用されている。具体的には、タイプ０／タイプ１を示すヘッダ（第０ビット）、サブセット番号（第１、第２ビット）、左詰め(woshift)／右詰め（wshift）の指定（第３ビット）からなる４ビットでヘッダが構成されている。先頭４ビットのヘッダ（識別子）がDCI  Format  1／0Aを区別するフラグであり、Type1,Subset2(woshift)であればDCI  Format  0Aを表していることになる。１つのRBGを構成するRB数は変化するので、DCI  Format  1／0Aを区別するフラグは、Type1,Subset（P-1)(woshift)と定義しても良い。Pは１つのRBGを構成するRB数である。
【００３２】
新規なDCI  Format  0Aは、ヘッダ以降は、ユーザに割当てたRB位置を示すRB割当て情報（第４から第１８ビット）、割り当てたRBのＭＣＳ情報及び冗長化バージョン(RV)（第１９から第２３ビット）、新規データか再送データかを区別する識別子（New  data  indicator）（第２４ビット）、PUSCHの送信電力制御コマンド（TPC）（第２５、第２６ビット）、復調用リファレンスシグナルのサイクリックシフト（CS  for  DMRS）（第２７から第２９ビット）、CQIリクエスト（第３０ビット）から構成されている。
【００３３】
移動局UEは、PDCCHのサーチスペースをブラインドデコーディングして自分宛のDCI  Format  1又はDCI  Format  0Aを探索するが、DCI  Format  1と同一サイズのDCIフォーマットの先頭４ビットをDCI  Format  0Aの識別フラグとして利用し、Type1,Subset(P-1)(woshift)が設定されていれば、上りリンク割当て情報DCI  Format  0Aであると認識し、DCIフォーマットの解釈を図３（ｂ）に示すビット構成に基づいた解釈に切り替える。
【００３４】
なお、上りリンクのクラスタ数が増加するのに比例してシグナリングすべきRB割当て情報のサイズが大きくなる。下りリンク割当て情報（DCI  Format  1）と同一サイズを維持したまま、RB割当て情報のビット割当領域を増大するために、RBGを粗くする方法（例えば１RBGを３RBから４RBにする）、システム帯域（２０MHz）の両端に配置されるPUCCHの一部（数ビット）を侵食して利用する方法などが適用可能である。
【００３５】
本発明の他の側面（第２の発明）では、ビットマップ形式のリソース割当て情報が配置された上りリンク割り当て情報（DCI  Format  0A）を、LTEで規定されている既存の上りリンク割当て情報（DCI  Format  0）と同一ビット数で構成する。すなわち、ビットマップ形式でリソースを割り当てた上りリンク割り当て情報（DCI  Format  0A）が、既存の上りリンク割当て情報（DCI  Format  0）と同一ビット数で構成されるようにRBG単位で間引かれた複数の間引きビットマップパターンを用意し、DCI  Format  0A上のリソース割当て情報にいずれかの間引きビットマップパターンを適用する。
【００３６】
これにより、クラスタ化DFT拡散OFDMが適用された上りリンクのリソース割り当てをビットマップベースで表わすことができると共に、既存の上りリンク割当て情報（DCI  Format  0）と同一ビット数であるので、第１の発明のようなDCI  Format  1の解釈の一部を変更する必要性が無く、ブラインドデコーディング数の増加を防止することもできる。
【００３７】
なお、クラスタ化DFT拡散OFDMが適用された上りリンクのリソース割当て情報は、システム帯域が１０MHzより小さければ、下りリンクのRBアロケーションタイプ０と同様に、リソース割当て情報をRBG化するだけで対応可能である。システム帯域をカバーする複数のRB配置パターンを用いる必要はない。
【００３８】
図３（ｃ）に第２の発明による上りリンク割り当て情報のシグナリングに好適なDCIフォーマット（DCI  Format  0A）の構成例を示す。同図に示すように、先頭ビットがDCI  Format  1／DCI  Format  0（又は0A）を示すリソース配置ヘッダである。SC-FDMAが適用される上りリンク割当て情報（DCI  Format  0）に含まれているホッピングフラグ、最後尾に追加されるサイズ調整用のゼロパッディングは不要であるので削除し、その削除相当のビットをリソース割当て情報に利用している。図３（ｃ）に示す上りリンク割当て情報（DCI  Format  0）ではリソース割当て情報用に１８ビットが確保されている。
【００３９】
システム帯域が１０MHzより小さい場合は、既存の上りリンク割当て情報（DCI  Format  0）と同様にしてシステム帯域をRBG化してRBG単位でリソース割当て情報を指定し、システム帯域が１０MHzより大きい場合は、リソース割当て情報にいずれかの間引きビットマップパターンを適用することが望ましい。
【００４０】
図４にシステム帯域が１０MHzより小さい場合のシグナリングに好適なビットマップパターンの例が示されている。上りリンクの伝送に用いられるシステム帯域が１０MHzより小さい場合は、リソース割当て情報のサイズが小さいため、上記したタイプ０のRB配置パターンで対応することが可能である。１．２MHzのシステム帯域の場合、システム帯域全体が６RBで構成されるので、６ビットあればリソース割当て情報をシグナリング可能である。３MHzのシステム帯域の場合、システム帯域全体が１５RBで構成されるので、１つのRBGを２RBでグループ化すれば、８ビットあればリソース割当て情報をシグナリング可能である。５MHzのシステム帯域の場合、システム帯域全体が２５RBで構成されるので、１つのRBGを２RBでグループ化すれば、１１ビットあればリソース割当て情報をシグナリング可能である。さらに、１０MHzのシステム帯域の場合、システム帯域全体が５０RBで構成されるので、１つのRBGを４RBでグループ化すれば、１３ビットあればリソース割当て情報をシグナリング可能である。
【００４１】
図５（ａ）（ｂ）にシステム帯域が１０MHzより大きい場合のシグナリングに好適なRB配置パターンの例が示されている。１０MHzより大きいシステム帯域として１５MHz及び２０MHzを想定している。
【００４２】
１５MHzのシステム帯域の場合、システム帯域全体が７５RBで構成されるので、１つのRBGを４RBでグループ化したとしても１９ビット必要となる。上りリンク割当て情報（DCI  Format  0A）内に１９ビットのリソース割当て情報を挿入したのでは、図３（ｃ）に示すように構成された上りリンク割当て情報（DCI  Format  0A）におけるリソース割当て情報用に確保したビットサイズ（１８ビット）よりも大きくなってしまう。そこで、１つのRB配置パターンには、システム帯域全体の半分のリソースを割り当て可能に構成することで、リソース割当てに必要なビット数を削減している。
【００４３】
具体的な４つのRB配置パターンを図５（ａ）に示す。第１のRB配置パターン（HD=00)は、システム帯域（１５MHz）の略前半部分に相当するRBGインデックス０から１０までをカバーし、第２のRB配置パターン（HD=01)は、システム帯域（１５MHz）の略後半部分に相当するRBGインデックス７から１７までをカバーする。これにより、１つのRB配置パターンのビット数を１１ビットまで削減できる。
【００４４】
また、第３のRB配置パターン（HD=10)は、システム帯域全体を１RBG間隔でRBGを間引いたRB配置パターンを構成し、第４のRB配置パターン（HD=11)は、第３のRB配置パターン（HD=10)から１RBGだけシフトしてシステム帯域全体を１RBG間隔でRBGを間引いたRB配置パターンを構成する。第３及び第４のRB配置パターンは９ビット／８ビットのサイズに抑制できる。
【００４５】
２０MHzのシステム帯域の場合、システム帯域全体が１００RBで構成されるので、１つのRBGを４RBでグループ化したとしても２５ビット必要となる。そこで、１５MHzの場合と同様の考え方に従って、RB配置パターンを構成する。
【００４６】
具体的な４つのRB配置パターンを図５（ｂ）に示す。第１のRB配置パターン（HD=00)は、システム帯域（２０MHz）の略前半部分に相当するRBGインデックス０から１１までをカバーし、第２のRB配置パターン（HD=01)は、システム帯域（２０MHz）の略後半部分に相当するRBGインデックス１２から２３までをカバーする。これにより、１つのRB配置パターンのビット数を１２ビットまで削減できる。
【００４７】
また、第３のRB配置パターン（HD=10)は、システム帯域端から２RBGおきに２RBGを間引いたRB配置パターンを構成し、第４のRB配置パターン（HD=11)は、第３のRB配置パターン（HD=10)から２RBGだけシフトしてシステム帯域の端から２RBGおきに２RBGを間引いたRB配置パターンを構成する。第３及び第４のRB配置パターンは１２ビットのサイズに抑制できる。
【００４８】
上記したように、第１から第４のRB配置パターンを準備する場合、RB配置パターンの識別情報は、HD（=00、01、10、11)の２ビットで通知可能である。したがって、上りリンク割当て情報（DCI  Format  0A)のリソース割当て情報に、第１から第４のRB配置パターンを適用可能にするためには、第１から第４のRB配置パターンの最大ビット数に加えて、RB配置パターンの識別情報（HD)の２ビットをDCI  Format  0Aに確保できれば良い。図３（ｃ）に示すように構成された上りリンク割当て情報（DCI  Format  0A）におけるリソース割当て情報用に１８ビットを確保していれば、RB配置パターンの最大ビット数が上記した通り１２ビットであれば、十分に対応可能であることが分かる。
【００４９】
上りリンク割当情報（DCI  Format  0A）を、既存の上りリンク割当て情報（DCI  Format  0）と同一ビットサイズで構成することができるので、下りリンク割当て情報の一部のビットの解釈を変更する必要性がなくなり、処理の簡素化を図ることができる。
【００５０】
本発明の他の側面（第３の発明）では、ビットマップベースの下りリンクリソース割当て情報が含まれた下りリンク割当て情報（例えばDCI  Format  1）と新規な上りリンク割り当て情報とを同一ビットサイズで構成するが、下りリンク割当情報（DCI  Format  1）と新規な上りリンク割当て情報（DCI  Format  0A）とを識別するために、識別ビットをDCI  Format  1とDCI  Format  0Aのそれぞれに１ビット追加する。以下の説明では、下りリンク割当て情報（DCI  Format  1）に１ビット追加したものをDCI  Format  1´とし、新規な上りリンク割当て情報に１ビット追加したものをDCI  Format  0A´と表記する。
【００５１】
図６に既存の下りリンク割当て情報（DCI  Format  1）と新たに識別ビットを１ビット追加したDCI  Format  1´及びDCI  Format  0A´を対比して示す。
【００５２】
図６（ａ）はLTEで規定された下りリンク用のコンパクト割当て用DCIフォーマットであるDCI  Format  1Aのビット構成であり、図３（ａ）に示すDCIフォーマットと同一である。
【００５３】
図６（ｂ）にDCI  Format  1´を示す。同図に示すように、DCI  Format  1´は、DCI  Format  0A´との区別のための識別ビットが追加されている。たとえば、識別ビット＝０でDCI  Format  1´を表し、識別ビット＝１でDCI  Format  0A´を表すこととする。
【００５４】
図６（ｃ）にDCI  Format  0A´を示す。DCI  Format  0A´は、CQIリクエストの後に３ビットが追加されており、そのうちの２ビットはDCI  Format  1とビット数を合わせるためのパディングビットであり、残りの１ビットが識別ビットである。DCI  Format  0A´の先頭１７ビット分がリソース割当て領域であり、リソース割当て領域にビットマップ形式で割り当てリソースが指示される。移動局UEでは、PDCCHをブラインドデコーディングして自分宛の共有データチャネル用制御情報を検出したら、最後尾の識別ビットからDCI  Format  1´又はDCI  Format  0A´を識別する。
【００５５】
このように、LTEで規定された下りリンク用のコンパクト割当て用DCIフォーマットであるDCI  Format  1Aよりも１ビット大きくなるが、新規のDCI  Format  0A´を簡単に実現することができる。
【００５６】
以下、本発明の実施の形態について、添付図面を参照して詳細に説明する。ここでは、LTE−Ａシステムに対応する基地局及び移動局を用いる場合について説明する。
【００５７】
図７を参照しながら、本発明の実施例に係る移動局（ＵＥ）１０及び基地局（Ｎｏｄｅ  Ｂ）２０を有する移動通信システム１について説明する。図７は、本実施例に係る移動局１０及び基地局２０及びを有する移動通信システム１の構成を説明するための図である。なお、図７に示す移動通信システム１は、例えば、LTEシステム或いは、ＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００５８】
図７に示すように、移動通信システム１は、基地局装置２０と、この基地局装置２０と通信する複数の移動端末装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動端末装置１０は、セル５０において基地局装置２０と通信を行うことができる。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。上位局装置３０はコアネットワーク４０に包含されても良い。
【００５９】
各移動端末装置（１０１、１０２、１０３、・・・１０ｎ）は、LTE端末及びLTE−Ａ端末を含むが、以下においては、特段の断りがない限り移動端末装置１０として説明を進める。また、説明の便宜上、基地局装置２０と無線通信するのは移動端末装置１０であるものとして説明するが、より一般的には移動端末装置も固定端末装置も含むユーザ装置（ＵＥ：User  Equipment）でよい。
【００６０】
移動通信システム１においては、無線アクセス方式として、下りリンクについてはOFDMA（直交周波数分割多元接続）が、上りリンクについてはSC-FDMA（シングルキャリア−周波数分割多元接続）及びクラスタ化DFT拡散OFDMが適用される。OFDMAは、周波数帯域を複数の狭い周波数帯域（サブキャリア）に分割し、各サブキャリアにデータをマッピングして通信を行うマルチキャリア伝送方式である。SC-FDMAは、システム帯域を端末毎に１つ又は連続したリソースブロックからなる帯域に分割し、複数の端末が互いに異なる帯域を用いることで、端末間の干渉を低減するシングルキャリア伝送方式である。クラスタ化DFT拡散OFDMは、非連続的なクラスタ化されたサブキャリアのグループ（クラスタ）を１台の移動局UEに割り当て、各クラスタに離散フーリエ変換拡散OFDMを適用することにより、アップリンクの多元接続を実現する方式である。
【００６１】
ここで、LTE及びLTE-Aシステムにおける通信チャネルについて説明する。
下りリンクの通信チャネルは、各移動端末装置１０で共有されるPDSCHと、下りＬ１／Ｌ２制御チャネル（PDCCH、PCFICH、PHICH）とを有する。このPDSCHにより、ユーザデータ及び上位制御信号が伝送される。上位制御信号は、キャリアアグリゲーション数の追加／削減、各コンポーネントキャリアにおいて適用される上りリンクの無線アクセス方式（SC-FDMA／クラスタ化DFT拡散OFDM）を移動端末装置１０に対して通知するRRCシグナリングを含む。
【００６２】
上りリンクの通信チャネルは、各移動端末装置１０で共有して使用されるPUSCHと、上りリンクの制御チャネルであるPUCCH（Physical  Uplink  Control  Channel）とを有する。このPUSCHにより、ユーザデータが伝送される。PUCCHは、下りリンクの無線品質情報（CQI:Channel  Quality  Indicator）、ACK/NACK等が伝送され、SC-FDMAにおいてサブフレーム内周波数ホッピングが適用されるが、クラスタ化DFT拡散OFDMではサブフレーム内周波数ホッピングしなくても周波数スケジューリング効果を得られるので、サブフレーム内周波数ホッピングは適用しない。
【００６３】
図８を参照しながら、本実施の形態に係る基地局装置２０の全体構成について説明する。基地局装置２０は、送受信アンテナ２０１と、アンプ部２０２と、送受信部２０３と、ベースバンド信号処理部２０４と、呼処理部２０５と、伝送路インターフェース２０６とを備えている。
【００６４】
下りリンクにより基地局装置２０から移動端末装置１０に送信されるユーザデータは、上位局装置３０から伝送路インターフェース２０６を介してベースバンド信号処理部２０４に入力される。
【００６５】
ベースバンド信号処理部２０４は、PDCPレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、HARQ（Hybrid  Automatic  Repeat  reQuest）の送信処理、スケジューリング、伝送フォーマット選択、チャネル符号化、逆高速フーリエ変換（ＩＦＦＴ：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００６６】
また、ベースバンド信号処理部２０４は、報知チャネルにより、同一セル５０に接続する移動端末装置１０に対して、各移動端末装置１０が基地局装置２０と無線通信するための制御情報を通知する。当該セル５０における通信のための報知情報には、例えば、上りリンク又は下りリンクにおけるシステム帯域幅や、PRACHにおけるランダムアクセスプリアンブルの信号を生成するためのルート系列の識別情報（Root  Sequence  Index）等が含まれる。
【００６７】
送受信部２０３は、ベースバンド信号処理部２０４から出力されたベースバンド信号を無線周波数帯に周波数変換する。アンプ部２０２は周波数変換された送信信号を増幅して送受信アンテナ２０１へ出力する。
【００６８】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００６９】
ベースバンド信号処理部２０４は、上りリンクで受信したベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００７０】
呼処理部２０５は、通信チャネルの設定や解放等の呼処理や、基地局装置２０の状態管理や、無線リソースの管理を行う。
【００７１】
次に、図９を参照しながら、本実施の形態に係る移動端末装置１０の全体構成について説明する。LTE端末もLTE-Ａ端末もハードウエアの主要部構成は同じであるので、区別せずに説明する。移動端末装置１０は、送受信アンテナ１０１と、アンプ部１０２と、送受信部１０３と、ベースバンド信号処理部１０４と、アプリケーション部１０５とを備えている。
【００７２】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００７３】
一方、上りリンクのユーザデータは、アプリケーション部１０５からベースバンド信号処理部１０４に入力される。ベースバンド信号処理部１０４においては、再送制御（Ｈ−ＡＲＱ（Hybrid  ARQ））の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００７４】
図１０は、本実施の形態に係る基地局装置２０が有するベースバンド信号処理部２０４及び一部の上位レイヤの機能ブロック図であり、主にベースバンド信号処理部２０４は送信処理部の機能ブロックを示している。図１０には、最大Ｍ個（ＣＣ＃１〜ＣＣ＃Ｍ）のコンポーネントキャリア数に対応可能な基地局構成が例示されている。基地局装置２０の配下となる移動端末装置１０に対する送信データが上位局装置３０から基地局装置２０に対して転送される。
【００７５】
制御情報生成部３００は、ハイヤーレイヤシグナリング（例えばRRCシグナリング）する上位制御信号をユーザ単位で生成する。上位制御信号は、コンポーネントキャリアCCの追加／削減を要求するコマンドを含むことができる。
【００７６】
データ生成部３０１は、上位局装置３０から転送された送信データをユーザ別にユーザデータとして出力する。
【００７７】
コンポーネントキャリア選択部３０２は、移動端末装置１０との無線通信に使用されるコンポーネントキャリアをユーザ毎に選択する。上記した通り、基地局装置２０から移動端末装置１０に対してRRCシグナリングによりコンポーネントキャリアの追加／削減を通知し、移動端末装置１０からComplete  messageを受信する。このComplete  messageの受信によって当該ユーザに対してコンポーネントキャリアの割当て（追加／削除）が確定し、確定したコンポーネントキャリアの割当てがコンポーネントキャリア選択部３０２にコンポーネントキャリアの割当て情報として設定される。コンポーネントキャリア選択部３０２にユーザ毎に設定されたコンポーネントキャリアの割当て情報にしたがって該当するコンポーネントキャリアのチャネル符号化部３０３へ上位制御信号及び送信データが振り分けられる。
【００７８】
スケジューリング部３１０は、システム帯域全体の通信品質に応じて、配下の移動端末装置１０に対するコンポーネントキャリアの割当てを制御する。スケジューリング部３１０が移動端末装置１０との通信に割当てるコンポーネントキャリアの追加／削除を判断する。コンポーネントキャリアの追加／削除に関する判断結果が制御情報生成部３００へ通知される。上りリンクのスケジューリングにおいて、SC-FDMA又はクラスタ化DFT拡散OFDMのいずれかをダイナミック（サブフレーム毎）に制御する。クラスタ化DFT拡散OFDMが適用されるコンポーネントキャリア（上りリンク）では、クラスタ数及びクラスタのリソースが決定される。
【００７９】
また、スケジューリング部３１０は、各コンポーネントキャリアＣＣ＃１〜ＣＣ＃Ｍにおけるリソース割り当てを制御している。LTE端末ユーザとLTE−Ａ端末ユーザとを区別してスケジューリングを行う。スケジューリング部３１０は、上位局装置３０から送信データ及び再送指示が入力されると共に、上りリンクの受信信号を測定した受信部からチャネル推定値やリソースブロックのＣＱＩが入力される。スケジューリング部３１０は、上位局装置３０から入力された再送指示、チャネル推定値及びＣＱＩを参照しながら、下りリンク割当て情報、上りリンク割当て情報、及び上下共有チャネル信号のスケジューリングを行う。移動通信における伝搬路は、周波数選択性フェージングにより周波数ごとに変動が異なる。そこで、移動端末装置１０へのユーザデータ送信時に、各移動端末装置１０に対してサブフレーム毎に通信品質の良好なリソースブロックを割り当てる（適応周波数スケジューリングと呼ばれる）。適応周波数スケジューリングでは、各リソースブロックに対して伝搬路品質の良好な移動端末装置１０を選択して割り当てる。そのため、スケジューリング部３１０は、各移動端末装置１０からフィードバックされるリソースブロック毎のＣＱＩを用いてスループットの改善が期待されるリソースブロックを割り当てる。クラスタ化DFT拡散OFDMが適用される上りリンクに対してクラスタ毎にリソースブロックを割り当てる。また、割り当てたリソースブロックで所定のブロック誤り率を満たすＭＣＳ（符号化率、変調方式）を決定する。スケジューリング部３１０が決定したＭＣＳ（符号化率、変調方式）を満足するパラメータがチャネル符号化部３０３、３０８、３１２、変調部３０４、３０９、３１３に設定される。
【００８０】
ベースバンド信号処理部２０４は、１コンポーネントキャリア内での最大ユーザ多重数Ｎに対応したチャネル符号化部３０３、変調部３０４、マッピング部３０５を備えている。チャネル符号化部３０３は、データ生成部３０１から出力されるユーザデータ（一部の上位制御信号を含む）で構成される共有データチャネル（PDSCH）を、ユーザ毎にチャネル符号化する。変調部３０４は、チャネル符号化されたユーザデータをユーザ毎に変調する。マッピング部３０５は、変調されたユーザデータを無線リソースにマッピングする。
【００８１】
また、ベースバンド信号処理部２０４は、ユーザ固有の下り制御情報である下り共有データチャネル用制御情報を生成する下り制御情報生成部３０６と、ユーザ共通の下り制御情報である下り共通制御チャネル用制御情報を生成する下り共通チャネル用制御情報生成部３０７とを備えている。
【００８２】
DCI  Format  1の下りリンク割当て情報が下り共有データチャネル用制御情報である。下り制御情報生成部３０６は、ユーザ毎に決定したリソース割り当て情報、ＭＣＳ情報、HARQ用の情報、PUCCHの送信電力制御コマンド等から下りリンク割当て情報（例えば、DCI  Format  1）を生成する。LTEで定められた規則に従って決定したサーチスペースにDCI  Format  1が配置される。
【００８３】
ベースバンド信号処理部２０４は、１コンポーネントキャリア内での最大ユーザ多重数Ｎに対応したチャネル符号化部３０８、変調部３０９を備えている。チャネル符号化部３０８は、下り制御情報生成部３０６及び下り共通チャネル用制御情報生成部３０７で生成される制御情報をユーザ毎にチャネル符号化する。変調部３０９は、チャネル符号化された下り制御情報を変調する。
【００８４】
また、ベースバンド信号処理部２０４は、上り共有データチャネル（PUSCH)を制御するための制御情報である上り共有データチャネル用制御情報をユーザ毎に生成する上り制御情報生成部３１１と、生成した上り共有データチャネル用制御情報をユーザ毎にチャネル符号化するチャネル符号化部３１２と、チャネル符号化した上り共有データチャネル用制御情報をユーザ毎に変調する変調部３１３とを備える。
【００８５】
DCI  Format  0及びDCI  Format  0Aで構成された上りリンク割当て情報が上り共有データチャネル用制御情報である。上り制御情報生成部３１１は、ユーザ毎に決定した上りリンクのリソース割り当て情報（クラスタ）、ＭＣＳ情報及び冗長化バージョン(RV)、新規データか再送データかを区別する識別子（New  data  indicator）、PUSCHの送信電力制御コマンド（TPC）、復調用リファレンスシグナルのサイクリックシフト（CS  for  DMRS）、CQIリクエスト等から上りリンク割当て情報を生成する。上りリンクの無線アクセス方式にSC-FDMAが選択されたサブフレーム（コンポーネントキャリア）ではLTEに規定された規則に従ってDCI  Format  0の上りリンク割当て情報を生成する。一方、上りリンクの無線アクセス方式にクラスタ化DFT拡散OFDMが選択されたサブフレーム（コンポーネントキャリア）では、例えば第１の発明に従って生成されるDCI  Format  0Aの上りリンク割当て情報を生成する。第１の発明の場合は、図３（ｂ）に示すDCI  Format  0Aが用いられ、DCI  Format  0Aの先頭ヘッダにType＊,Subset(P-1)(woshift/  wshift)を表すビットが配置され、リソース割り当て情報に図２（ｂ）（ｃ）に示すタイプ１のいずれかのRB配置パターンが用いられる。また、第２の発明を適用した場合であれば、DCI  Format  0A上のリソース割当て情報に、図４に示すRB配置パターン（システム帯域が10MHz以下の場合）又は図５に示すRB配置パターン（システム帯域が１５MHz以上の場合）が適用される。また、第３の発明の場合であれば、図６（ｃ）に示すDCI  Format  0A´が用いられ、DCI  Format  0A´の最後尾に識別ビット“１”が設定され、リソース割り当て情報に図２（ａ）（ｂ）（ｃ）に示すタイプ０／１のいずれかのRB配置パターンが用いられる。
【００８６】
上記変調部３０９、３１３でユーザ毎に変調された制御情報は制御チャネル多重部３１４で多重され、さらにインタリーブ部３１５でインタリーブされる。インタリーブ部３１５から出力される制御信号及びマッピング部３０５から出力されるユーザデータは下りチャネル信号としてＩＦＦＴ部３１６へ入力される。ＩＦＦＴ部３１６は、下りチャネル信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２０３に送出される。
【００８７】
図１１は、移動端末装置１０が有するベースバンド信号処理部１０４の機能ブロック図であり、LTE−ＡをサポートするLTE−Ａ端末の機能ブロックを示している。まず、移動端末装置１０の下りリンク構成について説明する。
【００８８】
無線基地局装置２０から受信データとして受信された下りリンク信号は、ＣＰ除去部４０１でＣＰが除去される。ＣＰが除去された下りリンク信号は、ＦＦＴ部４０２へ入力される。ＦＦＴ部４０２は、下りリンク信号を高速フーリエ変換（FFT:Fast  Fourier  Transform）して時間領域の信号から周波数領域の信号に変換し、デマッピング部４０３へ入力する。デマッピング部４０３は、下りリンク信号をデマッピングし、下りリンク信号から複数の制御情報が多重された多重制御情報、ユーザデータ、上位制御信号を取り出す。なお、デマッピング部４０３によるデマッピング処理は、アプリケーション部１０５から入力される上位制御信号に基づいて行われる。デマッピング部４０３から出力された多重制御情報は、デインタリーブ部４０４でデインタリーブされる。
【００８９】
また、ベースバンド信号処理部１０４は、制御情報を復調する制御情報復調部４０５、下り共有データを復調するデータ復調部４０６及びチャネル推定部４０７を備えている。制御情報復調部４０５は、多重制御情報から下り共通制御チャネル用制御情報を復調する共通制御チャネル用制御情報復調部４０５ａと、多重制御情報から上り共有データチャネル用制御情報を復調する上り共有データチャネル用制御情報復調部４０５ｂと、多重制御情報から下り共有データチャネル用制御情報を復調する下り共有データチャネル用制御情報復調部４０５ｃとを備えている。データ復調部４０６は、ユーザデータ及び上位制御信号を復調する下り共有データ復調部４０６ａと、下り共通チャネルデータを復調する下り共通チャネルデータ復調部１４０６ｂとを備えている。
【００９０】
共通制御チャネル用制御情報復調部４０５ａは、多重制御情報（ＰＤＣＣＨ）の共通サーチスペースのブラインドデコーディング処理、復調処理、チャネル復号処理などによりユーザ共通の制御情報である共通制御チャネル用制御情報を取り出す。共通制御チャネル用制御情報は、下りリンクのチャネル品質情報（ＣＱＩ）を含んでおり、後述するマッピング部１１５に入力され、無線基地局装置２０への送信データの一部としてマッピングされる。
【００９１】
上り共有データチャネル用制御情報復調部４０５ｂは、多重制御情報（ＰＤＣＣＨ）のユーザ個別サーチスペースのブラインドデコーディング処理、復調処理、チャネル復号処理などによりユーザ固有の上りリンク割当て情報である上り共有データチャネル用制御情報を取り出す。上りリンク割当て情報は、上り共有データチャネル（ＰＵＳＣＨ）の制御に使用され、下り共通チャネルデータ復調部４０６ｂへ入力される。ここで、上りリンクの無線アクセス方式にSC-FDMAが適用されている場合は、DCI  Format  0の上りリンク割当て情報が復調されるが、クラスタ化DFT拡散OFDMが適用されている場合は、第１から第３のいずれかの方法によるDCI  Format  0A／0A´の上りリンク割当て情報が復調される。
【００９２】
下り共有データチャネル用制御情報復調部４０５ｃは、多重制御情報（ＰＤＣＣＨ）のユーザ個別サーチスペースのブラインドデコーディング処理、復調処理、チャネル復号処理などによりユーザ固有の下り制御信号である下り共有データチャネル用制御情報を取り出す。下り共有データチャネル用制御情報は、下り共有データチャネル（ＰＤＳＣＨ）の制御に使用され、下り共有データ復調部４０６へ入力される。
【００９３】
また、下り共有データチャネル用制御情報復調部４０５ｃは、下り共有データ復調部４０６ａで復調された上位制御信号に含まれる、ＰＤＣＣＨ及びＰＤＳＣＨに関する情報に基づいて、ユーザ固有サーチスペースのブラインドデコーディング処理を行う。
【００９４】
下り共有データ復調部４０６ａは、下り共有データチャネル用制御情報復調部４０５ｃから入力された下り共有データチャネル用制御情報に基づいて、ユーザデータや上位制御情報を取得する。上位制御情報（モード情報を含む）は、チャネル推定部４０７に出力される。下り共通チャネルデータ復調部４０６ｂｃは、上り共有データチャネル用制御情報復調部４０５ｂから入力された上り共有データチャネル用制御情報に基づいて、下り共通チャネルデータを復調する。
【００９５】
チャネル推定部４０７は、コモン参照信号を用いてチャネル推定する。推定されたチャネル変動を、共通制御チャネル用制御情報復調部４０５ａ、上り共有データチャネル用制御情報復調部４０５ｂ、下り共有データチャネル用制御情報復調部４０５ｃ及び下り共有データ復調部４０６ａに出力する。これらの復調部においては、推定されたチャネル変動及び復調用参照信号を用いて下りリンク割当て情報を復調する。
【００９６】
ベースバンド信号処理部１０４は、送信処理系の機能ブロックとして、データ生成部４１１、チャネル符号化部４１２、変調部４１３、ＤＦＴ部４１４、マッピング部４１５、ＩＦＦＴ部４１６、ＣＰ挿入部４１７を備えている。データ生成部４１１は、アプリケーション部１０５から入力されるビットデータから送信データを生成する。チャネル符号化部４１２は、送信データに対して誤り訂正等のチャネル符号化処理を施し、変調部４１３はチャネル符号化された送信データをＱＰＳＫ等で変調する。ＤＦＴ部４１４は、変調された送信データを離散フーリエ変換する。マッピング部４１５は、ＤＦＴ後のデータシンボルの各周波数成分を、基地局装置に指示されたサブキャリア位置へマッピングする。ここで、上りリンクにクラスタ化DFT拡散OFDMが適用されている場合、上り共有データチャネル用制御情報復調部４０５ｂから復調された各クラスタのリソース割り当て情報が通知される。すなわち、データシンボルの各周波数成分を、システム帯域に相当する帯域幅を持つＩＦＦＴ部４１６の各クラスタに相当するサブキャリア位置に入力し、他の周波数成分には０を設定する。SC-FDMAが適用されている場合、ＩＦＦＴ部４１６のシングルキャリアに相当する連続したサブキャリア位置に、データシンボルの各周波数成分を入力し、他の周波数成分には０を設定する。ＩＦＦＴ部４１６は、システム帯域に相当する入力データを逆高速フーリエ変換して時系列データに変換し、ＣＰ挿入部４１７は時系列データに対してデータ区切りでサイクリックプレフィックスを挿入する。
【００９７】
次に、第１の発明による上りリンク割当て情報のシグナリングについて説明する。
基地局装置２０は、ユーザＵＥ＃１に１つ又は複数のコンポーネントキャリア（ＣＣ＃１，ＣＣ＃２，ＣＣ＃３…）を割り当てる。スケジューリング部３１０は、ユーザＵＥ＃１に割当てられたコンポーネントキャリア毎に、上りリンクのスケジューリングでクラスタ化DFT拡散OFDM又はSC-FDMAのいずれかをダイナミックに割り当て制御する。割り当てられた上り無線アクセス方式情報（クラスタ化DFT拡散OFDM又はSC-FDMA）はRRCシグナリングにより移動端末装置１０へ通知される。以下、ユーザＵＥ＃１にコンポーネントキャリアＣＣ＃１が割り当てられ、コンポーネントキャリアＣＣ＃１の上りリンクにクラスタ化DFT拡散OFDMが適用されたものとして説明する。上りリンクにSC-FDMAが適用された場合はLTEで規定された動作となるので、詳しい説明は省略する。
【００９８】
スケジューリング部３１０が、図１に示すようにクラスタのそれぞれに無線リソースを割り当て、各クラスタのリソース割当て情報をユーザＵＥ＃１に対する上り共有データチャネル用制御情報を生成する上り制御情報生成部３１１（UE#1)へ通知する。上りリンク割当て情報を構成するその他の情報も上り制御情報生成部３１１（UE#1)へ通知される。
【００９９】
上り制御情報生成部３１１（UE#1)は、図３（ｂ）に示すように構成された上りリンク割当て情報（DCI  Format  0A）をサブフレーム毎に生成する。すなわち、１０MHzのシステム帯域であれば、図２（ｂ）（ｃ）に示す複数のRB配置パターンの中からいずれかのRB配置パターンを選択し、選択したRB配置パターンにビットマップ形式で各クラスタへの割当てリソースを指定する。なお、DCI  Format  1とDCI  Format  0Aの識別フラグに用いられるRB配置パターンは選択から除外される。図２（ｂ）において最も右寄りにシフトしたRB配置パターンを表す“Type1,Subset(2)(woshift)”が識別フラグとして好ましい。識別フラグである“Type1,Subset(2)(woshift)”を、DCI  Format  0Aの先頭４ビットに設定する。この結果、図３（ｂ）に示すように、先頭４ビットに“Type1,Subset(2)(woshift)”を表すビットが設定され、リソース割当て情報にはビットマップ形式で各クラスタの割当てリソースを指定したRB配置パターンが設定され、下りリンク割当て情報DCI  Format  1と同一ビットサイズを有する上りリンク割当て情報（DCI  Format  0A）が生成される。
【０１００】
なお、ユーザＵＥ＃１に対する下りリンク割当て情報は、ユーザＵＥ＃１の下り共有データチャネル用制御情報を生成する下り制御情報生成部３０６(UE#1)で生成される。下り制御情報生成部３０６(UE#1)は、ユーザUE#1に対して決定したリソース割り当て情報、ＭＣＳ情報、HARQ用の情報、PUCCHの送信電力制御コマンド等から下りリンク割当て情報（DCI  Format  1）を生成する。この下りリンク割当て情報（DCI  Format  1）は、同一サブフレームに多重される上りリンク割当て情報（DCI  Format  0A）とが同一ビットサイズで構成される。
【０１０１】
ユーザＵＥ＃１に対する下りリンク割当て情報（DCI  Format  1）及び上りリンク割当て情報（DCI  Format  0A）は、それぞれチャネル符号化部３０８、３１２でチャネル符号化され、変調部３０９、３１３において変調後、制御チャネル多重部３１４においてチャネル多重される。その後、周波数ダイバーシチ効果を得るために、インタリーブ部３１５が、REG（Resource  Element  Groupの略で4REから構成される）単位でインタリーブする(CCE  interleaving)。そして、同一サブフレームの先頭にマッピングして送信される。
【０１０２】
一方、ユーザＵＥ＃１となる移動端末装置１０は、RRCシグナリングによって通知された上り無線アクセス方式を認識し、認識した上り無線アクセス方式（クラスタ化DFT拡散OFDM又はSC-FDMA）にて上りの無線アクセスを制御する。移動端末装置１０は、下りリンクでPDCCHを受信する。デインタリーブ部４０４がサブフレーム先頭の１〜３OFDMシンボルにマッピングされたPDCCHをデインタリーブする。移動端末装置１０では、レートマッチングパラメータ（CCE数）、及びCCEの開始位置が不明であるため、制御情報復調部４０５は、CCE単位でブラインドデコーディングし、ユーザIDでマスクされたＣＲＣがＯＫとなるCCEを探索する。上りリンク割当て情報（DCI  Format  0A）は下りリンク割当て情報（DCI  Format  1）と同一ビットサイズであるので、１回のブラインドデコーディングによって探索することができる。
【０１０３】
上り共有データチャネル用制御情報復調部４０５ｂは、PDCCHのサーチスペースをブラインドデコーディングして自分宛の共有データチャネル用制御情報を探索する。探索した自分宛の共有データチャネル用制御情報の先頭４ビットを解釈し、先頭４ビットに“Type1,Subset(2)(woshift)”を示すビットが設定されていれば上りリンク割当て情報（DCI  Format  0A）であると認識して取り込む。上りリンク割当て情報（DCI  Format  0A）と下りリンク割当て情報（DCI  Format  1）とは同一ビットサイズであるので、１回のブラインドデコーディングでそれぞれが検出されるが、共有データチャネル用制御情報の先頭４ビットが“Type1,Subset(2)(woshift)”以外であれば、上りリンク割当て情報（DCI  Format  0A）ではないと判断して破棄できる。
【０１０４】
なお、下り共有データチャネル用制御情報復調部４０５ａは、PDCCHのサーチスペースをブラインドデコーディングして自分宛の共有データチャネル用制御情報を探索する。その結果、同一ビットサイズである上りリンク割当て情報（DCI  Format  0A）と下りリンク割当て情報（DCI  Format  1）とが、１回のブラインドデコーディングでそれぞれが検出されるが、共有データチャネル用制御情報の先頭４ビットが“Type1,Subset(2)(woshift)”以外であれば下りリンク割当て情報（DCI  Format  1）として取り込む。
【０１０５】
上り共有データチャネル用制御情報復調部４０５ｂは、探索した自分宛の上りリンク割当て情報を構成しているビットデータを、図３（ｂ）に示す構成に従って解釈する。そして、DCI  Format  0Aからビットマップ形式のリソース割当て情報、並びにその他のパラメータ（MCS情報等）を抽出する。クラスタ毎のリソース割当て情報はマッピング部４１５へ与えられる。また、DCI  Format  0Aから抽出されたその他のパラメータは、チャネル符号化部４１２、変調部４１３等の該当ブロックへ与えられる。
【０１０６】
上りリンクの送信データは、チャネル符号化部４１２において誤り訂正等のチャネル符号化処理が施され、変調部４１３においてＱＰＳＫ等で変調される。変調後の送信データは、ＤＦＴ部４１４において離散フーリエ変換されて周波数領域成分に変換され、マッピング部４１５においてDCI  Format  0Aを用いてシグナリングされた各クラスタへの割当てリソースへマッピングされる。ＩＦＦＴ部４１６が、システム帯域に相当する入力データを逆高速フーリエ変換して時系列データに変換し、ＣＰ挿入部４１７において時系列データに対してサイクリックプレフィックスを挿入してから無線送信される。
【０１０７】
このように、ビットマップ形式でリソース割当てした上りリンクのリソース割当て情報を含む上りリンク割当て情報（DCI  Format  0A）を定義し、当該上りリンク割り当て情報（DCI  Format  0A）を、ビットマップベースでリソース割当てした下りリンクのリソース割当て情報が含まれた下りリンク割当て情報（例えばDCI  Format  1）と同一ビットサイズで構成し、下りリンク割当て情報（DCI  Format  1）の一部のビットの解釈を変更して、フォーマット識別のためのビットを追加すること無く、同一ビットサイズの上りリンク割当て情報を識別できるようにした。この結果、移動端末装置１０において１回のブラインドデコーディングで同一ビットサイズの上りリンク割当て情報（DCI  Format  0A）及び下りリンク割当て情報（例えばDCI  Format  1）を検出でき、ブラインドデコーディング数の増加を防止できる。また、ビットマップ形式でリソース割当てした上りリンクのリソース割当て情報を含む上りリンク割当て情報（DCI  Format  0A）を定義したので、下りリンク割当て情報（例えばDCI  Format  1）と同程度までリソース割当て情報のビット数を確保でき、複数のクラスタに対するリソース割当て情報をビットマップ形式で表すことができる。
【０１０８】
次に、第２の発明による上りリンク割当て情報のシグナリングについて説明する。
ユーザＵＥ＃１にコンポーネントキャリアＣＣ＃１が割り当てられ、コンポーネントキャリアＣＣ＃１の上りリンクにクラスタ化DFT拡散OFDMが適用されたものとして説明する。上りリンクにSC-FDMAが適用された場合はLTEで規定された動作となるので、詳しい説明は省略する。また、上りリンクに適用される無線アクセス方式を、クラスタ化DFT拡散OFDM又はSC-FDMAのいずれかにダイナミックに切り替えられるが、上記同様にRRCシグナリングによって切り替え制御される。
【０１０９】
スケジューリング部３１０が、上りリンクのデータチャネルに用いるクラスタ数を決定し、図１に示すようにクラスタのそれぞれに無線リソースを割り当て、各クラスタのリソース割当て情報を上り制御情報生成部３１１（UE#1)へ通知する。上りリンク割当て情報を構成するその他の情報も上り制御情報生成部３１１（UE#1)へ通知される。
【０１１０】
上り制御情報生成部３１１（UE#1)は、図３（ｃ）に示すように構成された上りリンク割当て情報（DCI  Format  0A）をサブフレーム毎に生成する。すなわち、システム帯域が１５MHzでありクラスタ数が３の場合であれば、図５（ａ）に示す第１から第４のRB配置パターンの中からいずれかのRB配置パターンを選択する。たとえば、HD=00のRB配置パターンを選択した場合、RBGインデックス０から１１の帯域（システム帯域の左半分）のリソースを割当て可能であり、HD=01のRB配置パターンを選択した場合、RBGインデックス１２から１７の帯域（システム帯域の左半分）のリソースを割当て可能である。HD=10又はHD=11のRB配置パターンを選択した場合、RBGインデックス０から１８の間で１RBG間隔で均等にリソースを割当て可能である。上り制御情報生成部３１１（UE#1)は、図３（ｃ）に示す上りリンク割当て情報（DCI  Format  0A）の先頭ビットに、上りリンクであることを示すビットを設定し、リソース割当て情報の先頭２ビットにRB配置パターンの識別子（HD)を設定する。リソース割当て情報の残りのビットを用いて選択RB配置パターン上で各クラスタに割当てたRBG位置を指定する。このようにして、クラスタ数が３以上の場合は、RBG単位で間引かれたRB配置パターンを用いて各クラスタに割当てたRBG位置を指定する。
【０１１１】
この結果、図３（ｃ）に示すように、同一ビットサイズを有すると共に、先頭１ビットで上り／下りリンクを識別でき、さらにHDの２ビットでRB配置パターンが識別できる上りリンク割当て情報（DCI  Format  0A）が生成される。
【０１１２】
なお、システム帯域が１０MHz以下の場合は、図４に示すRB配置パターンを、システム帯域に応じて選択し、各クラスタに割当てたRBG位置を指定する。この場合、上りリンク割当て情報（DCI  Format  0A）におけるリソース割当て情報にRB配置パターンを識別する識別子であるHDは不要である。
【０１１３】
このようにして生成された上りリンク割当て情報（DCI  Format  0A）が、ユーザUE#1に対応した下り制御情報生成部３０６（UE#1)で生成された下りリンク割当て情報DCI  Format  1と同一サブフレームに多重されて送信される。
【０１１４】
一方、ユーザＵＥ＃１となる移動端末装置１０は、下りリンクでPDCCHを受信すると、制御情報復調部４０５がCCE単位でブラインドデコーディングし、ユーザIDでマスクされたＣＲＣがＯＫとなるCCEを探索する。上りリンク割当て情報（DCI  Format  0A）は、既存の上りリンク割当て情報（DCI  Format  0）と同一ビットサイズであるので、今回定義した上りリンク割当て情報（DCI  Format  0A）を復調するためにブラインドデコーディング回数を増加する必要はない。
【０１１５】
上り共有データチャネル用制御情報復調部４０５ｂは、PDCCHのサーチスペースをブラインドデコーディングし、自分宛の共有データチャネル用制御情報の先頭ビットを解釈し、上りリンクのリソース配置ヘッダを示すビットが設定されていれば、上りリンク割当て情報（DCI  Format  0A）であると認識して取り込む。
【０１１６】
なお、下り共有データチャネル用制御情報復調部４０５ａは、PDCCHのサーチスペースをブラインドデコーディングして自分宛の共有データチャネル用制御情報を探索する。その結果、同一ビットサイズである上りリンク割当て情報（DCI  Format  0A）と下りリンク割当て情報（DCI  Format  1）とが、１回のブラインドデコーディングでそれぞれが検出されるが、共有データチャネル用制御情報の先頭１ビットに下りリンクのリソース配置ヘッダを示すビットが設定されていれば、下りリンク割当て情報（DCI  Format  1）として取り込む。
【０１１７】
上り共有データチャネル用制御情報復調部４０５ｂは、探索した自分宛の上りリンク割当て情報を構成しているビットデータを、図３（ｃ）に示す構成に従って解釈する。そして、DCI  Format  0Aからビットマップ形式のリソース割当て情報、並びにその他のパラメータ（MCS情報等）を抽出する。以下の動作内容は、上述した第１の発明での上りリンクの送信動作と同じである。
【０１１８】
このように、ビットマップ形式でリソース割り当てした上りリンク割り当て情報（DCI  Format  0A）が、既存の上りリンク割当て情報（DCI  Format  0）と同一ビット数で構成されるようにRBG単位で間引かれた複数の間引きビットマップパターンを用意し、DCI  Format  0A上のリソース割当て情報にいずれかの間引きビットマップパターンを適用することとしたので、クラスタ化DFT拡散OFDMが適用された上りリンクのリソース割り当てをビットマップベースで表わすことができると共に、既存の上りリンク割当て情報（DCI  Format  0）と同一ビット数であるので、第１の発明のようなDCI  Format  1の解釈の一部を変更する必要性が無く、処理の簡素化を図ることもできる。
【０１１９】
次に、第３の発明による上りリンク割当て情報のシグナリングについて説明する。
ユーザＵＥ＃１にコンポーネントキャリアＣＣ＃１が割り当てられ、コンポーネントキャリアＣＣ＃１の上りリンクにクラスタ化DFT拡散OFDMが適用されたものとして説明する。
【０１２０】
スケジューリング部３１０が、上りリンクの無線アクセスに用いるクラスタ数を決定し、図１に示すようにクラスタのそれぞれに無線リソースを割り当て、各クラスタのリソース割当て情報を上り制御情報生成部３１１（UE#1)へ通知する。上りリンク割当て情報を構成するその他の情報も上り制御情報生成部３１１（UE#1）へ通知される。また、スケジューリング部３１０は、DCI  Format  1とDCI  Format  1´とを準固定的に設定する。下りリンクのDCI構成（識別ビットの有無）は上位制御信号でシグナリングする。ここでは、DCI  Format  1´が選択された場合について説明する。
【０１２１】
上り制御情報生成部３１１（UE#1）は、図６（ｃ）に示すように構成された上りリンク割当て情報（DCI  Format  0A´）をサブフレーム毎に生成する。すなわち、DCI  Format  0A´における最後尾に設けられた追加ビットに“１”を設定し、リソース割当て情報には上記第２の発明と同様にしてビットマップ形式でクラスタ毎の割当てリソースを指定する。
【０１２２】
下りユーザＵＥ＃１に対する下り制御情報生成部３０６(UE#1)は、図６（ｂ）に示すように構成された下りリンク割当て情報（DCI  Format  1´）をサブフレーム毎に生成する。すなわち、DCI  Format  1´における最後尾に設けられた追加ビットに“０”を設定し、リソース割当て情報にはビットマップ形式で割当てリソースを指定する。下りリンク割当て情報（DCI  Format  1´）は、同一サブフレームに多重される上りリンク割当て情報（DCI  Format  0A´）とが同一ビットサイズで構成される。
【０１２３】
このようにして生成された上りリンク割当て情報（DCI  Format  0A´）が、ユーザUE#1に対応した下り制御情報生成部３０６（UE#1)で生成された下りリンク割当て情報DCI  Format  1´と同一サブフレームに多重されて送信される。
【０１２４】
一方、ユーザＵＥ＃１となる移動端末装置１０は、下りリンクでPDCCHを受信すると、制御情報復調部４０５がCCE単位でブラインドデコーディングし、ユーザIDでマスクされたＣＲＣがＯＫとなるCCEを探索する。このとき、上りリンク割当て情報（DCI  Format  0A´）は識別ビット有りであることが、事前に上位制御情報で報知されているので、DCI  Format  0に１ビット追加したビットサイズでブラインドデコーディングする。
【０１２５】
上りリンク割当て情報（DCI  Format  0A´）は、下りリンク割当て情報（DCI  Format  1´）と同一ビットサイズであるので、今回定義した上りリンク割当て情報（DCI  Format  0A´）を復調するためにブラインドデコーディング回数を増加する必要はない。
【０１２６】
上り共有データチャネル用制御情報復調部４０５ｂは、PDCCHのサーチスペースをブラインドデコーディングし、自分宛の共有データチャネル用制御情報の最後尾の識別ビットを解釈し、上りリンクを示すビットが設定されていれば、上りリンク割当て情報（DCI  Format  0A´）であると認識して取り込む。
【０１２７】
なお、下り共有データチャネル用制御情報復調部４０５ａは、PDCCHのサーチスペースをブラインドデコーディングして自分宛の共有データチャネル用制御情報を探索する。このときも、事前に上りリンク割当て情報（DCI  Format  0A´）が識別ビット有りであることが、事前に上位制御情報で報知されているので、DCI  Format  1に１ビット追加したビットサイズでブラインドデコーディングする。その結果、同一ビットサイズである上りリンク割当て情報（DCI  Format  0A）と下りリンク割当て情報（DCI  Format  1）とが、１回のブラインドデコーディングでそれぞれが検出されるが、共有データチャネル用制御情報の最後尾の識別ビットに下りリンクを示すビットが設定されていれば、下りリンク割当て情報（DCI  Format  1´）として取り込む。
【０１２８】
上り共有データチャネル用制御情報復調部４０５ｂは、探索した自分宛の上りリンク割当て情報を構成しているビットデータを、図６（ｃ）に示す構成に従って解釈する。そして、DCI  Format  0A´からビットマップ形式のリソース割当て情報、並びにその他のパラメータ（MCS情報等）を抽出する。以下の動作内容は、上述した第１の発明での上りリンクの送信動作と同じである。
【０１２９】
以上の説明では、LTE-Aで合意された上りリンク無線アクセスにクラスタ化DFT拡散OFDMが適用される場合について説明したが、上りリンクで１ユーザに複数の周波数バンドを割り当てる無線アクセス方式はクラスタ化DFT拡散OFDMに限定されない。たとえば、上りリンク無線アクセス方式にOFDMAを適用した場合にも本発明は有効である。本発明は、上りリンクのリソース割当てをビットマップ形式で指定するのに好適なDCIフォーマット構成であるので、OFDMAが適用された上りリンクのリソース割当てを、DCIフォーマットサイズが増大すること無く、ビットマップ形式でシグナリングすることが可能である。
【０１３０】
図１２は上りンクの無線アクセス方式としてSC-FDMAとOFDMとを切り替え可能にした移動端末装置の構成図である。図１１に示す移動端末装置１０と同一部分には同一符号を付している。上りンクの無線アクセス方式としてSC-FDMAとOFDMとを切り替え可能にした場合、SC-FDMAとクラスタ化DFT拡散OFDMを動的に切り替えるのと同様に、基地局装置２０がRRCシグナリングによってSC-FDMA又はOFDMのいずれが割り当てられたかを通知する。移動端末装置は、RRCシグナリングされた無線アクセス方式を上りの無線通信に適用する。
【０１３１】
図１２に示す移動端末装置は、SC-FDMAに対応したマッピングを行う４１５ａと、OFDMに対応したマッピングを行う４１５ｂとを備える。上りリンク無線アクセスにOFDMを適用する場合、送信データをDFTしないので、変調部４１３の出力が切替部４１８を介して直接的にマッピング部４１５ｂへ入力される。マッピング部４１５ｂは送信シンボルをリソース割当てにしたがって周波数領域成分にマッピングする。
【０１３２】
無線基地局２０では、ユーザＵＥ＃１にコンポーネントキャリアＣＣ＃１が割り当てられ、コンポーネントキャリアＣＣ＃１の上りリンク無線アクセス方式としてSC-FDMA又はOFDMが選択される。制御情報生成部３００が上りリンク無線アクセス方式を上位制御信号でシグナリングする。
【０１３３】
スケジューリング部３１０は、SC-FDMAが選択されていればシングルキャリアに相当するリソースを割り当てる。また、上りリンクの無線アクセスにOFDMが選択されていれば、下りリンクのリソース割り当てと同様にしてRB単位でリソース割当てを行う。上りリンクのリソース割当て情報は上り制御情報生成部３１１（UE#1)へ通知される。
【０１３４】
移動端末装置は、上位制御信号でシグナリングされる上りリンク無線アクセス方式に応じて切替部４１８が送信データの信号系列を切り替える。SC-FDMAが選択されていればマッピング部４１５ｂが選択され、OFDMが選択されていればマッピング部４１５ａが選択される。選択されたマッピング部４１５ａ又は４１５ｂには上述した実施例と同様に復調された上りリンクのリソース割当て情報が与えられる。
【０１３５】
このように、上りリンク無線アクセス方式をSC-FDMAとOFDMとの間で切り替え可能にし、いずれの無線アクセス方式であってもビットマップ形式のリソース割当てを可能にした。
【０１３６】
また、上りリンク無線アクセス方式として、SC-FDMAとClustered  DFT-Spread  OFDMとOFDMとの中からダイナミックに選択してRRCシグナリングで通知するようにしても良い。選択された各アクセス方式での動作は上記した通りである。
また、上りリンク無線アクセス方式として、SC-FDMAのみ、SC-FDMAとClustered  DFT-Spread  OFDMの組み合わせ、SC-FDMAとOFDMの組み合わせ、SC-FDMAとClustered  DFT-Spread  OFDMとOFDMの組み合わせといった中からいずれかを選択するようにしても良い。
【符号の説明】
【０１３７】
１  移動通信システム
１０  移動端末装置
２０  基地局装置
３０  上位局装置
４０  コアネットワーク
１０１  送受信アンテナ
１０２  アンプ部
１０３  送受信部
１０４  ベースバンド信号処理部
１０５  アプリケーション部
２０１  送受信アンテナ
２０２  アンプ部
２０３  送受信部
２０４  ベースバンド信号処理部
２０５  呼処理部
２０６  伝送路インターフェース
３００  制御情報生成部
３０１  データ生成部
３０２  コンポーネントキャリア選択部
３０３、３０８、３１２  チャネル符号化部
３０４、３０９、３１３  変調部
３０５  マッピング部
３０６  下り制御情報生成部
３０７  下り共通チャネル用制御情報生成部
３１０  スケジューリング部
３１１  上り制御情報生成部
【図１】
2011223111.tif 000003
【図２】
2011223111.tif 000004
【図３】
2011223111.tif 000005
【図４】
2011223111.tif 000006
【図５】
2011223111.tif 000007
【図６】
2011223111.tif 000008
【図７】
2011223111.tif 000009
【図８】
2011223111.tif 000010
【図９】
2011223111.tif 000011
【図１０】
2011223111.tif 000012
【図１１】
2011223111.tif 000013
【図１２】
2011223111.tif 000014